(57)【特許請求の範囲】
【請求項１】
重量を計測する複数の計測器１、１は既存の体重計を用い、計測部のそれぞれの適宜位置に足を載せる目安となる足部位置２、２を設けると共に、足部位置２、２の左と右の間の距離を計測される人の略肩幅とする体重計に於いて、上面板Ａの後端部付近に、床面と上面板Ａ距離を調節する補助部５を設け、補助部５の端部には、上面板Ａに体重が掛かった場合、上面板Ａが上下するため安定感を補う弾性体６を設けたことを特徴とする脊柱の歪みを確認する体重計。
【発明の詳細な説明】
【０００１】
【発明の属する技術分野】
この発明は、カイロプラクティック治療を行う場合の体のバランスを検出するための体重計に関するものである。
【０００２】
【従来技術】
従来、カイロプラクティック治療を行う場合、遺伝や病気、怪我、職業や過労、運動、栄養のバランス、睡眠等の生活習慣が原因となって、骨格、特に背骨（脊柱）のずれによって生ずる、骨格のバランスの崩れ（以下、脊柱の歪みと言う）を治療師が目視して発見し、崩れた骨格のバランスを回復させることによって、体調の異常を解消する治療方法で、このため、脊柱の歪みを速やかに発見し、患者と治療についての打ち合わせ等、調整をしなければならないが、患者自身が脊柱の歪みについての自覚が無く、その説明に困難を来していた。
【０００３】
このため、患者の目に見える方法としてレントゲン撮影に依るが、レントゲン設備を備えない治療院等では、レントゲン設備を備える病院等の協力を得なければならず、患者や、治療師等の時間的、経済的負担、精神的負担等は大きく計り知れないものがあった。
又、レントゲン撮影はレントゲン技師の資格が必要であり、一般治療師が手軽に行える行為ではない。
【０００４】
【発明が解決しようとする課題】
従って、本発明が解決しようとする課題は、既存の体重計を用いて、脊柱の歪みによっ生じた骨格の歪みを一目で確認することができ、レントゲン設備に比べて極めて安価で、計測に当たって資格等が不要で、手軽に使用できる体重計を提供することである。
【０００５】
【課題を解決するための手段】
本発明は、体重を計測する複数の計測器１、１は既存の体重計を用い、計測部のそれぞれの適宜位置に足を載せる目安となる足部位置２、２を設けると共に、足部位置２、２の左と右の間の距離Ｂを計測される人の略肩幅とする体重計に於いて、上面板Ａの後端部付近に、床面と上面板Ａ距離を調節する補助部５を設け、補助部５の端部には、上面板Ａに体重が掛かった場合、正面板Ａが上下するため安定感を補う弾性体６を設けたことを特徴とする脊柱の歪みを確認する体重計としたことである。
【０００６】
【発明の実施の形態】
以下、本発明の実施の形態を説明すると、重量を計測する複数の計測器１、１は既存の体重計を用い、計測部のそれぞれの適宜位置に足を載せる目安となる足部位置２、２を設けると共に、足部位置２、２の左と右の間の距離Ｂを計測される人の略肩幅とする体重計に於いて、左側計測器１と右側計測器１は、対象の形状と構造で、二つの体重計で構成され、上面板Ａの後端部付近に、床面と上面板Ａの距離を調節する補助部５を設け、補助部５の端部には、上面板Ａに体重が掛かった場合、上面板Ａが上下するため安定感を補う弾性体６を設けてあり、足を乗せる目安となる足部位置２、２を設けてある。
この時右足部位置２から左足部位置２までの距離Ｂを計測される人の肩幅の距離（長さ）と略同一であることが好ましく、計測される人が足を乗せる目安となる部位置２、２を設けてあり、この時右足部位置２から左足部位置２までの距離Ｂを計測される人の肩幅の距離（長さ）と略同一であることが好ましく、複数の計測器１、１はそれぞれの計測値を、それぞれに表示する計測表示部４、４が形成されている。
【０００７】
複数の計測器１、１に設けた足部位置２、２の距離は、計測される人の肩幅の距離と略同一の距離に維持されることが望ましい。
【０００８】
【実施例】
以下、本発明の第１実施例を図面に基づいて説明すると、左側計測器１と右側計測器１は、対象の形状と構造によって構成されているもので、図１に於いては左側の計測器１を示した斜視図である。
従って、図１に於いて、それぞれの計測器１の上面板Ａの適宜位置に足を乗せる目安となる足部位置２を設けてあり、足部位置２はシールを貼着するか、又は塗装、又は印刷、又は開口部を設けるか、又は形押し等によって表示するとよく、足部位置２の前方に開口部３を設け、計測器１の計測の数値を表示する計測表示部４としてある。
【０００９】
図１は本発明のほんの一例を示すもので、それぞれの計測器１は、大きく形成し足部位置２が計測器１の上面に足部が完全に乗せることができる大きさに形成することも可能であるが図示していない。
従って、図１によれば、上面板Ａの後端部付近に補助部５を設けることも可能で、床面と上面板Ａの間の距離を、伸縮調整するために、ボルト状に形成してもよい。
この場合、補助部５の端部には、上面板Ａに体重等が掛かった場合、上面板Ａが上下するための不安定感を補うため、弾性体６を設けることが好ましい。
弾性体６は、計測に支障を来さない硬さが望ましく、又、図示しないが計測器１の裏面には滑り止めを施すことも可能である。
【００１０】
上記のような構造であるから、脊柱Ｈのずれによって生ずる歪みＹを測定する患者等の肩幅と、足部位置２、２の距離Ｂが略同一になるように計測器１、１を床面等に並置し、必要に応じ、計測器１、１の計測表示部４の数値が左右一致するように調整する。
従って、例えば、左右の計測表示部４、４をそれぞれ０目盛りに調整した後、脊柱Ｈの歪みＹを測定する患者等を、足部位置２、２に直立させて重量を測定すると、正常な脊柱Ｈの場合図２に示す如く、身体Ｖの中心Ｇ１が足部位置２、２の中心Ｇに一致する。
【００１１】
この時、計測器１、１によって測定されている人は左右の足が肩幅に開いているため、両足の膝及び、大腿部は骨盤（腰）を基点として逆Ｖ字状に突っ張った状態となる。
従って、計測されている人の体Ｖの中心（略骨盤）は必然的に逆Ｖ字状の頂点Ｘに位置し、体重は頂点Ｘ部分に集中し、この頂点Ｘから逆Ｖ字状の両端である左足Ｔと右足Ｕに平均的に分散される。
このため、左右の計測器１、１に設けられた計測表示部４、４に表示される数値は同一となり、この結果、脊柱Ｈに歪みＹが無く骨格のバランスが正常であることが計測表示部４、４の表示によって、誰の目にも正確に読みとれる。
従って、治療師は計測表示部４、４に表示された数値を確認した上で、的確な治療を施すことができ、加療後再び患者を計測することにより、その変化を患者と共に確認できるため、患者とのコミニュケーションを極めて良好に保つことができる。
【００１２】
更に、脊柱Ｈの歪みＹが小さい場合、簡単なストレッチ運動によって簡単に矯正することも可能で、脊柱Ｈの歪みＹの予防にも利用することができる。
又、計測される人が何らかの理由により意図的に、左右の計測表示部４、４の数値を変えようとすれば、体Ｖの上体を大きく反らせるか、又は左右いずれかの膝を、意図的に曲げる等の行為を行わなければならないため、体形が不自然となり、計測に立合う治療師は極めて容易に発見することができる。
【００１３】
又、脊柱Ｈに歪みがある場合、図３の様に左足Ｔと右足Ｕを開いた状態に於いて、距離Ｂの中心Ｇと頂点Ｘの位置がずれ、体ＶはＲ側に大きく傾くため、体重はＲ側に大きく、Ｌ側が小さくかかり、計測表示部４、４に表示される体重の数値はＲ側が大きく、Ｌ側が小さい数値で表示され、脊柱Ｈが歪みＹが生じて骨格バランスが崩れていることが明確となる。
従って、脊柱Ｈの歪みＹによって生じた骨格の歪みは、一目で確認することができ、レントゲン設備に比べ、二つの体重計で構成される本発明の脊柱の歪みを確認する体重計は、コスト面から見ても極めて安価に提供でき、計測に当たっても資格等を要せず、誰でも手軽に脊柱Ｈの歪みを計測できる体重計を提供することができるものである。
【００１４】
又、患者の脊柱Ｈに歪みＹが生じている場合（図３）、患者の身体の中心Ｇ１が左足Ｔと右足Ｕの中心Ｇに対し、Ｒ側に著しく傾斜しているため、傾斜しているため、傾斜する方向Ｒ側に体重が掛かり、表示部４、４に表示される数値は、Ｌ側が小さく、Ｒ側が大きく表示され、左右異なるものとなり、脊柱Ｈの歪みＹによって生じた骨格のバランスの崩れは、誰にも簡単且つ明瞭に発見することができる。
さらに、計測器１、１は既存の体重計を用いることによって、レントゲン等と比較にならない安価で提供することができ、使用に当たっても資格等を取得する必要はない。
【００１５】
【発明の効果】
上記のような構成であるから、既存の体重計使用により、脊柱の歪みによって生じた骨格のバランスの歪みは計測器表示部に表示され、一目で確認できると共に、レントゲンに比して格段の安価で提供できるばかりでなく、計測に当たってもレントゲン技師等の資格を要せず、誰でも手軽に計測確認できる体重計を提供することができる。
【図面の簡単な説明】
【図１】本発明の第１実施例を示す斜視図である。
【図２】脊柱が正常な状態を示す参考の背面図である。
【図３】脊柱に歪みを生じた状態を示す参考の背面図である。
【符号の説明】
１  計測器
２  足部位置
３  開口部
４  計測表示部
５  補助部
６  弾性体
Ｆ  開口部
Ｇ  中心
Ｇ１  体Ｖの中心
Ｈ  脊柱
Ｓ  脊柱の曲がり
Ｌ  左側
Ｒ  右側
Ｔ  左足
Ｕ  右足
Ｖ  体
Ｘ  頂点
Ｙ  歪み
【図１】
0003702388.tif 000002
【図２】
0003702388.tif 000003
【図３】
0003702388.tif 000004